(57)【特許請求の範囲】
【請求項１】
搬送される媒体を支持する支持部と、
前記媒体の搬送方向と交差する走査方向に移動自在な移動体及び当該移動体に搭載されて前記媒体に液体を吐出する液体吐出ヘッドを含んで構成される吐出ユニットと、
を備え、
前記走査方向における前記吐出ユニットの端部には、案内面と、前記走査方向に沿って前記案内面から突出する複数の突出部とが、設けられ、
複数の前記突出部は、前記案内面において、前記搬送方向に間隔をおいて並ぶように設けられ、
前記突出部は、剛性を有して前記走査方向に延び、板厚方向が前記搬送方向に沿う板状のリブであり、前記移動体が前記走査方向に沿って移動することで、前記媒体の撓みを前記支持部へ向けて押圧し、
前記案内面は、前記移動体が前記走査方向に沿って移動する際に前記リブ同士の間に流入する気体を、前記リブが前記媒体を押圧する方向とは前記リブを挟んで反対側となる方向に案内し、
前記リブは、前記案内面において、前記案内面の下端から前記案内面の上端にわたって設けられることを特徴とする液体吐出装置。
【請求項２】
前記案内面は、傾斜する斜面又は湾曲する曲面であることを特徴とする請求項１に記載の液体吐出装置。
【請求項３】
前記吐出ユニットは、前記走査方向に沿って前記移動体から延びて設けられる延出部を有し、前記突出部は、前記走査方向における前記延出部の端部に形成されていることを特徴とする請求項１または請求項２に記載の液体吐出装置。
【発明の詳細な説明】
【技術分野】
【０００１】
本発明は、例えばインクジェット式プリンターなどの液体吐出装置に関する。
【背景技術】
【０００２】
従来から、印刷装置（液体吐出装置）の一例として、走査方向に移動自在なキャリッジ（移動体）に液滴吐出ヘッド（液体吐出ヘッド）が設けられ、プラテン（支持部）に支持される記録媒体に対して液滴吐出ヘッドから液滴（液体）を吐出するインクジェット式プリンターが知られている。このようなプリンターにおいては、記録媒体に対して液滴吐出ヘッドから液滴が吐出される際やプラテン上を走査方向と交差する搬送方向に沿って記録媒体が搬送される際に、記録媒体の一部に撓み（コックリング）が生じることがある。そこで、特許文献１には、記録媒体に生じる撓みを解消する撓み伸ばし部材がキャリッジに設けられた印刷装置が開示されている。
【先行技術文献】
【特許文献】
【０００３】
【特許文献１】特開２０１４−８３７０７号公報
【発明の概要】
【発明が解決しようとする課題】
【０００４】
ところで、特許文献１の印刷装置は、記録媒体に撓みが生じている場合、撓み伸ばし部材の端部に形成される斜面状の押圧部が、キャリッジの走査方向への移動に伴い記録媒体の撓みが生じている部分に接触し、その接触した部分をプラテンへ向けて押圧することで記録媒体の撓みを解消する。この場合において、斜面状の押圧部は、記録媒体をプラテンへ向けて押圧するとともに、撓み伸ばし部とプラテンとの間の隙間へ空気を案内することがある。そして、この案内された空気がさらに液滴吐出ヘッドとプラテンとの間の隙間まで案内されて流れることにより、液滴吐出ヘッドが記録媒体に吐出する液滴の着弾精度に影響する虞がある。
【０００５】
そこで、特許文献１における印刷装置の撓み伸ばし部には、押圧部によってプラテンとの間の隙間へ案内された空気を隙間から排出するために、撓み伸ばし部を上下に貫通する貫通孔と、その貫通孔における隙間側の開口へ押圧部側から空気を案内するガイド溝が設けられている。
【０００６】
しかし、そのようなガイド溝及び貫通孔は、斜面状の押圧部によりプラテンとの隙間に案内されてしまった空気のうち一部の空気だけを隙間から排出するものであり、その押圧部が液滴吐出ヘッドとプラテンとの間の隙間へ向けて空気を案内してしまうという実情は何ら解決できないでいた。
【０００７】
本発明は、上記実情に鑑みてなされたものであり、その目的は、支持部に支持される媒体に生じる撓みを低減するとともに、媒体に液体を吐出する液体吐出ヘッドと支持部との間へ向けて案内される気体の流量を低減できる液体吐出装置を提供することにある。
【課題を解決するための手段】
【０００８】
上記課題を解決する液体吐出装置は、搬送される媒体を支持する支持部と、前記媒体の搬送方向と交差する走査方向に移動自在な移動体及び当該移動体に搭載されて前記媒体に液体を吐出する液体吐出ヘッドを含んで構成される吐出ユニットと、を備え、前記走査方向における前記吐出ユニットの端部には、前記走査方向に沿って突出する複数の突出部が、前記搬送方向に間隔をおいて並ぶように設けられ、前記突出部は、前記移動体が前記走査方向に沿って移動することで、前記媒体の撓みを前記支持部へ向けて押圧する。
【０００９】
この構成によれば、突出部は、走査方向への移動時に、媒体の撓みが生じた部分に接触して媒体を支持部へ向けて押圧する部分が媒体の搬送方向に長く連続した面を形成している場合と異なり、その移動時に吐出ユニットと支持部との間の隙間に向けて案内する気体の流量が少なくなる。したがって、支持部に支持される媒体に生じる撓みを低減するとともに、媒体に液体を吐出する液体吐出ヘッドと支持部との間へ向けて案内される気体の流量を低減できる。
【００１０】
上記液体吐出装置において、前記突出部は、剛性を有して前記走査方向に延びる板状のリブで構成されていることが好ましい。
この構成によれば、突出部は、走査方向への移動時に、剛性を有する板状のリブにおける走査方向の端面が媒体の撓みが生じた部分に接触する。そのため、走査方向への移動時に突出部が媒体と接触しても変形してしまう虞が小さく、媒体を支持部へ向けて十分に押圧することができ、媒体に生じる撓みを低減できる。
【００１１】
上記液体吐出装置において、前記搬送方向で隣り合う前記突出部同士の間には、前記移動体が前記走査方向に沿って移動する際に前記突出部同士の間に流入する気体を、前記突出部が前記媒体を押圧する方向とは前記突出部を挟んで反対側となる方向に案内する案内面が設けられていることが好ましい。
【００１２】
この構成によれば、移動体が走査方向に沿って移動する際に突出部同士の間に流入する気体が、案内面によって、突出部が媒体を押圧する方向とは突出部を挟んで反対側となる方向に案内される。そのため、移動体が走査方向に移動した際に液体吐出ヘッドと支持部との間へ向けて案内される気体の流量を低減できる。
【００１３】
上記液体吐出装置において、前記案内面は、傾斜する斜面又は湾曲する曲面であることが好ましい。
この構成によれば、搬送方向で隣り合う突出部同士の間に流入する気体を突出部が媒体を押圧する方向とは突出部を挟んで反対側となる方向へスムーズに案内することができる。
【００１４】
上記液体吐出装置において、前記吐出ユニットは、前記走査方向に沿って前記移動体から延びて設けられる延出部を有し、前記突出部は、前記走査方向における前記延出部の端部に形成されていることが好ましい。
【００１５】
この構成によれば、走査方向に沿って延びる延出部が移動体に形成されることで、移動体が走査方向に沿って移動する際に、液体吐出ヘッドと支持部との間に気流が発生し難くなる。すなわち、液体吐出ヘッドが支持部に支持される媒体に対して吐出する液体の着弾位置のずれを低減できる。
【図面の簡単な説明】
【００１６】
【図１】実施形態におけるプリンターの側断面図。
【図２】吐出ユニットの一部を示す斜視図。
【図３】吐出ユニットの上面図。
【図４】走査方向における整流板の端部を示す斜視断面図。
【図５】吐出ユニットが走査方向に沿って移動する際の正面図。
【図６】吐出ユニットが走査方向に沿って移動する際に生じる空気の流れを示す図。
【図７】比較例としての吐出ユニットが走査方向に沿って移動する際に生じる空気の流れを示す図。
【図８】整流板の変形例を示す図。
【図９】案内面及び突出部の変形例を示す図。
【図１０】吐出ユニットの変形例を示す図。
【発明を実施するための形態】
【００１７】
以下、液体吐出装置の一例として媒体にインクを吐出することで記録を行うインクジェット式プリンター（以下、「プリンター」と略す場合もある。）の一実施形態について図面を参照しながら説明する。
【００１８】
図１に示すように、プリンター（液体吐出装置）１１は、筐体１２を備えている。筐体１２内には、媒体の一例である用紙Ｓを鉛直方向Ｚの下側から支持する支持部１３と、用紙Ｓを支持部１３の上面に沿って搬送方向Ｙへ搬送する搬送部１４と、搬送される用紙Ｓに液体の一例であるインクを吐出して記録を行う吐出ユニット２０とが備えられている。
【００１９】
搬送部１４は、搬送方向Ｙにおいて、支持部１３よりも上流側及び下流側となる各位置にそれぞれ配置される搬送ローラー対１５ａ、１５ｂを備えている。搬送ローラー対１５ａ、１５ｂは、用紙Ｓを上下で挟み込んで支持しながら回転することで、用紙Ｓを搬送方向Ｙに沿って搬送する。さらに、搬送部１４は、搬送方向Ｙにおいて、搬送ローラー対１５ａよりも上流側、搬送ローラー対１５ｂよりも下流側となる各位置にそれぞれ配置される案内板１６ａ、１６ｂを備えている。案内板１６ａ、１６ｂは、用紙Ｓを下側から支持することで、用紙Ｓを搬送方向Ｙに沿って案内する。
【００２０】
そして、搬送部１４は、図示しないモーターの駆動により、搬送ローラー対１５ａ、１５ｂが回転することで、支持部１３の上面及び案内板１６ａ、１６ｂの上面に沿って用紙Ｓを搬送させる。なお、本実施形態において、用紙Ｓは、供給リール１７に円筒状に巻き重ねられたロール体Ｒから繰り出されることによって搬送される。ロール体Ｒから繰り出されて搬送される用紙Ｓは、吐出ユニット２０によってインクが吐出され記録が行われた後、巻取リール１８によって再び円筒状に巻き重ねられる。
【００２１】
吐出ユニット２０は、用紙Ｓの搬送方向Ｙと交差する方向であって、用紙Ｓの幅方向となる走査方向Ｘに沿って往復移動可能に設けられるキャリッジ（移動体）３０と、用紙Ｓにインクを吐出する液体吐出ヘッド４０と、走査方向Ｘに沿って延びる延出部である整流板５０とを含んで構成されている。キャリッジ３０は、キャリッジ３０が備える軸受３１を介して走査方向Ｘに沿って延びるガイド軸６０に支持されるとともに、ガイド軸６０に沿って移動可能に設けられている。液体吐出ヘッド４０は、キャリッジ３０に搭載されるとともに、支持部１３と対向するよう鉛直方向Ｚにおいてキャリッジ３０の下側となる下面から露出して設けられている。そして、整流板５０もまた、支持部１３と対向するようにキャリッジ３０の下面に設けられている。なお、液体吐出ヘッド４０の下面は、整流板５０の下面からやや突出するようキャリッジ３０に設けられている。
【００２２】
図２及び図３に示すように、吐出ユニット２０が備える整流板５０は、走査方向Ｘにおける長さがキャリッジ３０の長さよりも長くなるように延びて設けられている。また、整流板５０は、搬送方向Ｙの上流側から下流側にかけて、走査方向Ｘにおける長さが短くなるよう傾斜した形状を有している。
【００２３】
走査方向Ｘにおける整流板５０の端部には、湾曲する曲面である案内面５１が搬送方向Ｙに亘って形成されている。案内面５１は、走査方向Ｘにおいて、整流板５０の端部からキャリッジ３０へ接近するにつれて鉛直方向Ｚの上側へ向けて湾曲するすくい形状を有している（図４参照）。この案内面５１により、走査方向Ｘにおける整流板５０の長さは、鉛直方向Ｚにおいて上側となる上面よりも下側となる下面の方が長くなるよう構成されている。
【００２４】
また、走査方向Ｘにおける整流板５０の端部には、走査方向Ｘにおいて、キャリッジ３０から離間する方向へ向けて案内面５１から突出する突出部であるリブ５２がそれぞれ複数形成されている。このリブ５２は、搬送方向Ｙと沿う方向にリブ５２の厚みを有するような板状で設けられ、且つ剛性を有している。また、リブ５２は、搬送方向Ｙに間隔をおいて並ぶように設けられている。すなわち、走査方向Ｘにおける整流板５０の端部であって、搬送方向Ｙにおいて隣り合うリブ５２同士の間となる位置に、案内面５１が形成されている。
【００２５】
図４に示すように、案内面５１から延びるリブ５２の案内面５１側を基端とすると、基端とは反対側となるリブ５２の先端には、走査方向Ｘに対して傾斜する傾斜部５３が形成されている。この傾斜部５３は、鉛直方向Ｚにおいてリブ５２の下側の一部に設けられ、リブ５２の基端から先端にかけて鉛直方向Ｚの上側へ向かうよう斜めに傾斜している。なお、上述した案内面５１、リブ５２及び傾斜部５３は、走査方向Ｘにおける整流板５０の一方の端部だけでなく、他方の端部にも同様に設けられている。
【００２６】
次に、上記のように構成されたプリンター（液体吐出装置）１１の作用について説明する。
図５に示すように、支持部１３に支持される用紙Ｓに対して記録を行う際には、キャリッジ３０がガイド軸６０に沿って支持部１３の上方を往復移動し、液体吐出ヘッド４０からインクを用紙Ｓへ吐出する。このとき、インクの吐出や、搬送ローラー対１５ａ、１５ｂによる挟み込みなどに起因して、用紙Ｓに撓み（コックリング）が生じ、用紙Ｓの一部に浮き上がり部Ｍが生じることがある。
【００２７】
用紙Ｓに浮き上がり部Ｍが発生すると、キャリッジ３０が走査方向Ｘに沿って移動することで液体吐出ヘッド４０と浮き上がり部Ｍとが接触する虞がある。液体吐出ヘッド４０と用紙Ｓの浮き上がり部Ｍとが接触することは、液体吐出ヘッド４０に埃や紙粉などが付着したり、用紙Ｓに吐出されたインクが付着したりすることで液体吐出ヘッド４０が汚損されるため、好ましくない。この点、本実施形態におけるプリンター１１は、吐出ユニット２０が備える整流板５０に、リブ５２を備えている。
【００２８】
用紙Ｓに浮き上がり部Ｍが生じると、まず、走査方向Ｘにおける整流板５０の端部に設けられたリブ５２が浮き上がり部Ｍに接触し、浮き上がり部Ｍを支持部１３へ向けて押圧するため、浮き上がり部Ｍは矮小化乃至解消される。すなわち、液体吐出ヘッド４０に用紙Ｓが接触してしまう虞が低減される。また、整流板５０に設けられるリブ５２には、傾斜部５３が形成されている。この傾斜部５３により、リブ５２が接触する用紙Ｓに対して、より効果的に浮き上がり部Ｍを支持部１３へ向けて押圧することが可能となっている。
【００２９】
また、キャリッジ３０がガイド軸６０に沿って移動する際には、液体吐出ヘッド４０と支持部１３に支持される用紙Ｓとの間となる空間Ａに、走査方向Ｘに沿う気流（気体の流れ）Ｆが生じることがある。この空間Ａに気流Ｆが生じると、用紙Ｓに対するインクの着弾位置に影響を及ぼす虞がある。これに対し、本実施形態のプリンター１１は、走査方向Ｘに沿って長尺の整流板５０を吐出ユニット２０に設けているため、空間Ａにおける気体（空気）の流動抵抗が大きくなる。したがって、液体吐出ヘッド４０と支持部１３に支持される用紙Ｓとの間となる空間Ａに流れ込む気流Ｆの流量や流速が低減され、インクの着弾位置のずれが低減される。
【００３０】
図６に示すように、走査方向Ｘにおける整流板５０の端部には、案内面５１が形成されている。この案内面５１は、鉛直方向Ｚの上側へ湾曲するすくい形状を有しているため、キャリッジ３０が走査方向Ｘにおいて白抜きの矢印が示す方向に移動する際に、気流Ｆが案内面５１に沿って鉛直方向Ｚの上側へ案内される。すなわち、案内面５１は、リブ５２が用紙Ｓを押圧する方向とはリブ５２を挟んで反対側となる方向へ向けて気流Ｆを案内する。そのため、液体吐出ヘッド４０と支持部１３に支持される用紙Ｓとの間に流れ込む気流Ｆの流量が低減される。また、リブ５２は、搬送方向Ｙと沿う方向に厚みを有するような板状で設けられているため、気流Ｆが案内面５１へと案内され易い。
【００３１】
図７に示す比較例のように、整流板５０の端部に傾斜部５３が搬送方向Ｙに長く連続した面を形成している（すなわち、案内面５１及びリブ５２が設けられていない）吐出ユニット２０が走査方向Ｘにおいて白抜きの矢印が示す方向に移動すると、走査方向Ｘにおける整流板５０の端部により、浮き上がり部Ｍが支持部１３へ向けて押圧される。その一方で、気流Ｆは、走査方向Ｘにおける整流板５０の端部に形成された傾斜部５３に沿って液体吐出ヘッド４０と支持部１３に支持される用紙Ｓとの間に案内されてしまう。すなわち、空間Ａにおける気流Ｆの流量や流速が増し、インクの着弾精度に影響を及ぼす虞がある。
【００３２】
そこで、本実施形態におけるプリンター１１は、用紙Ｓに発生する浮き上がり部Ｍを支持部１３へ向けて押圧するリブ５２を有する一方、すくい形状により気流Ｆをリブ５２が浮き上がり部Ｍを押圧する方向とはリブ５２を挟んで反対側となる方向へ向けて案内する案内面５１を有している。すなわち、リブ５２が鉛直方向Ｚの下側へ向けて用紙Ｓを押圧するのに対し、案内面５１は、隣り合うリブ５２同士の間を流れる気流Ｆを上側へ向けて案内している。なお、リブ５２は、搬送方向Ｙに沿う方向に厚みを有するような板状で設けられているため、用紙Ｓに対するリブ５２の接触面積が低減される。つまり、傾斜部５３に沿って鉛直方向Ｚの下側へ案内される気流Ｆの流量を低減している。
【００３３】
上記実施形態によれば、以下のような効果を得ることができる。
（１）吐出ユニット２０において、用紙Ｓの浮き上がり部Ｍを支持部１３へ向けて押圧するリブ５２は、搬送方向Ｙに間隔をおいて並ぶように設けられている。そのため、吐出ユニット２０が走査方向Ｘへ移動する時に、リブ５２は、用紙Ｓの浮き上がり部Ｍに接触して浮き上がり部Ｍを支持部１３へ向けて押圧する部分が搬送方向Ｙに長く連続した面を形成している場合と異なり、その移動時に吐出ユニット２０と支持部１３との間の空間Ａに向けて案内する気体の流量が少なくなる。したがって、支持部１３に支持される用紙Ｓに生じる撓みを低減するとともに、用紙Ｓにインクを吐出する液体吐出ヘッド４０と支持部１３との間へ向けて案内される気体の流量を低減できる。
【００３４】
（２）吐出ユニット２０が走査方向Ｘへ移動する時に、剛性を有する板状のリブ５２は、その走査方向Ｘの端面が用紙Ｓの撓みが生じた部分である浮き上がり部Ｍに接触する。そのため、走査方向Ｘへの移動時にリブ５２が浮き上がり部Ｍと接触しても変形してしまう虞が小さく、浮き上がり部Ｍを支持部１３へ向けて十分に押圧することができ、用紙Ｓに生じる撓みを低減できる。
【００３５】
（３）キャリッジ３０が走査方向Ｘに沿って移動する際にリブ５２同士の間に流入する気体が、案内面５１によって、リブ５２が用紙Ｓを押圧する方向とはリブ５２を挟んで反対側となる方向に案内される。そのため、キャリッジ３０が走査方向Ｘに移動した際に液体吐出ヘッド４０と支持部１３との間へ向けて案内される気体の流量を低減できる。
【００３６】
（４）案内面５１は、走査方向Ｘにおける整流板５０の端部からキャリッジ３０に接近するにつれて鉛直方向Ｚの上側へ向けて湾曲する曲面で形成されている。そのため、搬送方向Ｙで隣り合うリブ５２同士の間に流入する気体をリブ５２が用紙Ｓを押圧する方向とはリブ５２を挟んで反対側となる方向へスムーズに案内することができる。
【００３７】
（５）走査方向Ｘに沿って延びる整流板５０がキャリッジ３０に形成されることで、キャリッジ３０が走査方向Ｘに沿って移動する際に、液体吐出ヘッド４０と支持部１３との間に気流が発生し難くなる。すなわち、液体吐出ヘッド４０が支持部１３に支持される用紙Ｓに対して吐出するインクの着弾位置のずれを低減できる。
【００３８】
（６）リブ５２には傾斜部５３が形成されているため、浮き上がり部Ｍと接触した際に、より効果的に浮き上がり部Ｍを支持部１３側へ押圧することができる。すなわち、傾斜部５３を有するリブ５２は、より効果的に浮き上がり部Ｍを矮小化乃至解消することができる。
【００３９】
（７）走査方向Ｘにおける吐出ユニット２０の端部には、走査方向Ｘに沿って延びる突出部としてのリブ５２が設けられている。そのため、吐出ユニット２０が走査方向Ｘに沿って移動する際、浮き上がり部Ｍが液体吐出ヘッド４０と接触する前にリブ５２と接触し、リブ５２が浮き上がり部Ｍを支持部１３に向けて押圧することで、浮き上がり部Ｍを矮小化乃至解消する。したがって、液体吐出ヘッド４０が浮き上がり部Ｍと接触することにより汚損される虞を低減できる。
【００４０】
なお、上記実施形態は以下のように変更してもよい。
・図８に示すように、上記実施形態において、整流板５０はキャリッジ３０の下面から走査方向Ｘに沿って延びるように設けられる構成に限らず、キャリッジ３０の側面から走査方向Ｘに沿って延びるよう設けられる構成であってもよい。この構成においては、キャリッジ３０の走査方向Ｘにおける端部それぞれに整流板５０が設けられ、液体吐出ヘッド４０は、キャリッジ３０の下面から露出される。
【００４１】
・図９に示すように、上記実施形態において、整流板５０の走査方向Ｘにおける端部に設けられる突出部は、板状のリブ５２に限らず、パイプ５２ａのように板状ではない突出部であってもよい。また、パイプ５２ａに限らず、搬送方向Ｙに間隔をおいて並ぶように設けられ、浮き上がり部Ｍを支持部１３側へ向けて押圧する形状を有する突出部であればよい。
【００４２】
・図９に示すように、上記実施形態において、案内面５１は、湾曲した曲面に限らず、傾斜した斜面であってもよい。また、段差を有する面であってもよい。
・図１０に示すように、上記実施形態において、吐出ユニット２０は、整流板５０を設けなくともよい。この構成においては、突出部であるリブ５２がキャリッジ３０の側面に形成される。リブ５２を備えることで、浮き上がり部Ｍが液体吐出ヘッド４０と接触する虞が低減される。また、リブ５２は、搬送方向Ｙに間隔をおいて並ぶように設けられているため、液体吐出ヘッド４０と支持部１３に支持される用紙Ｓとの間となる空間Ａへ向けて案内される気流Ｆの流量を低減できる。また、図１０に示す変形例としての吐出ユニット２０において、搬送方向Ｙにおけるリブ５２同士の間に案内面５１を設けてもよく、案内面５１を設けることで、より空間Ａへ向けて案内される気流Ｆの流量を低減することができる。
【００４３】
・上記実施形態において、リブ５２は、傾斜部５３を備えなくともよい。傾斜部５３を備えなくともリブ５２は、浮き上がり部Ｍを支持部１３へ向けて押圧し、浮き上がり部Ｍを矮小化乃至解消することができる。そして、案内面５１によって気流Ｆを鉛直方向Ｚの上側へと案内できる。
【００４４】
・上記実施形態において、リブ５２は、案内面５１から突出するようにして設けられる構成に限らない。たとえば、搬送方向Ｙにおける複数位置にそれぞれ独立して設けられた複数の案内面５１の間から走査方向Ｘに沿って延びるように設けられる構成であってもよい。
【００４５】
・上記実施形態において、鉛直方向Ｚの下側となる液体吐出ヘッド４０の下面と、整流板５０の下面とが面一となるように構成されていてもよい。面一に構成することで、液体吐出ヘッド４０と支持部１３との間を流れる気流Ｆの乱れを低減できる。気流Ｆの乱れを低減することで、インクの着弾位置の補正が容易となる。なお、インクの着弾位置を補正する技術は公知である。また、液体吐出ヘッド４０の下面と、整流板５０の下面とを面一とすることで、浮き上がり部Ｍに対して液体吐出ヘッド４０が接触してしまう虞をより一層低減できる。
【００４６】
・上記実施形態において、整流板５０は、搬送方向Ｙの上流側から下流側にかけて、走査方向Ｘにおける長さが短くなるよう傾斜した形状を有する構成に限らず、たとえば、搬送方向Ｙの上流側から下流側にかけて、走査方向Ｘにおける長さが長くなる形状でもよいし、一定となる形状であってもよい。また、整流板５０は楕円形状を有する構成でもよいし、整流板５０の形状は、上記実施形態に限定されない。
【００４７】
・上記実施形態において、吐出ユニット２０は、走査方向Ｘにおける両端部に、案内面５１、リブ５２及び傾斜部５３が設けられる構成に限らず、何れか一方の端部のみに設けられる構成でもよい。特に、撓み（コックリング）は、用紙Ｓにインクが吐出されることで生じることが多い。そのため、吐出ユニット２０が一方向への移動時にインクを吐出し、他方向への移動時にはインクを吐出しないプリンター１１の場合には、吐出ユニット２０が一方向への移動でインクを吐出し終えた後、他方向へ移動する際に、撓みにより生じた浮き上がり部Ｍと接触する可能性が高いことが考えられる。そのため、走査方向Ｘにおいて、吐出ユニット２０の他方向側となる端部のみに案内面５１、リブ５２及び傾斜部５３が設けられる構成としても、浮き上がり部Ｍを矮小化乃至解消しつつ、気流Ｆを鉛直方向Ｚの上側へと案内することができる。もちろん、インクを吐出するときの移動方向となる一方側の端部のみに案内面５１、リブ５２及び傾斜部５３が設けられる構成としても、用紙Ｓが搬送される際に撓みが生じる虞があるため、浮き上がり部Ｍを矮小化乃至解消しつつ、気流Ｆを鉛直方向Ｚの上側へと案内することができる。
【００４８】
・上記実施形態において、液体吐出ヘッド４０がインクを吐出する媒体は、ロール体Ｒから巻き解かれた連続紙としての用紙Ｓに限らず、単票紙であってもよい。また、用紙に限らず、布帛や金属箔、プラスチックなどその他様々なものを媒体として採用してもよい。
【００４９】
・上記実施形態において、液体吐出装置は、インク以外の他の液体を吐出する液体吐出装置であってもよい。なお、液体吐出装置から微小量の液滴となって吐出される液体の状態としては、粒状、涙状、糸状に尾を引くものも含むものとする。また、ここでいう液体は、液体吐出装置から吐出させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体吐出装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を吐出する液体吐出装置がある。また、バイオチップ製造に用いられる生体有機物を吐出する液体吐出装置、精密ピペットとして用いられ試料となる液体を吐出する液体吐出装置、捺染装置やマイクロディスペンサー等であってもよい。さらに、時計やカメラ等の精密機械にピンポイントで潤滑油を吐出する液体吐出装置、光通信素子等に用いられる微小半球レンズ（光学レンズ）などを形成するために紫外線硬化樹脂等の透明樹脂液を基板上に吐出する液体吐出装置であってもよい。また、基板などをエッチングするために酸又はアルカリ等のエッチング液を吐出する液体吐出装置であってもよい。
【符号の説明】
【００５０】
１１…プリンター（液体吐出装置）、１３…支持部、２０…吐出ユニット、３０…キャリッジ（移動体）、４０…液体吐出ヘッド、５０…整流板（延出部）、５１…案内面、５２…リブ（突出部）５２ａ…パイプ（突出部）、Ｓ…用紙、Ｘ…走査方向、Ｙ…搬送方向。
【図１】
0006648422.tif 000002
【図２】
0006648422.tif 000003
【図３】
0006648422.tif 000004
【図４】
0006648422.tif 000005
【図５】
0006648422.tif 000006
【図６】
0006648422.tif 000007
【図７】
0006648422.tif 000008
【図８】
0006648422.tif 000009
【図９】
0006648422.tif 000010
【図１０】
0006648422.tif 000011